(57)【特許請求の範囲】
【請求項１】
複数のパネルから構成される筐体を備える電子機器であって、
第一のパネル及び第二のパネルに、止水部材を介して挟持され、少なくとも２つの辺部と前記２つの辺部によって形成される角部とを含む発光部を備えた光透過ケースを有し、
前記第一のパネルと前記第二のパネル及び前記止水部材により止水される領域に、入射された方向とは異なる方向に光を出射する導光部材と、前記導光部材に入射される光を発する第１の光源と、前記光透過ケースの前記角部に向かって光を照射する第２の光源と、を備え、
前記第１の光源から発せられた光は、前記発光部の前記辺部から前記光透過ケース外部に出射し、前記第２の光源から発せられた光は、前記光透過ケースの内側から前記角部の外側に出射し、
前記光透過ケースは、前記導光部材が出射した前記第１の光源から発せられた光を前記領域の外部へ導光することを特徴とする電子機器。
【請求項２】
前記光透過ケースには、ラメまたは着色されたガラスフレークが分散されている、あるいは前記ラメまたは前記ガラスフレークを混ぜた光透過インクが形成されていることを特徴とする請求項１に記載の電子機器。
【発明の詳細な説明】
【技術分野】
【０００１】
この発明は、電子機器に関する。
【背景技術】
【０００２】
防水構造を有する携帯通信装置において、下記先行技術文献には、筐体内部に備えた光源からの光が導光部材を介して保護パネルから外部に導光される構造を備え、当該保護パネルが筐体に設けられた開口部の止水部材をまたぐように備えられることで、止水性を保持しつつ外部に光を導光する技術が開示されている。
【先行技術文献】
【特許文献】
【０００３】
【特許文献１】特開２００６−２８４６８３号公報
【発明の概要】
【発明が解決しようとする課題】
【０００４】
防水構造を有する電子機器の筐体外部を光らせたい場合、上述の先行技術を用いると、一部分だけが強く光ってしまうという課題があった。光源、導光部材、保護パネルが直線的に配置されており、当該光源の真上だけが強く光ってしまうためである。また、導光部の保護パネルと対向する位置に光源を備えることになるため、当該光源を設置する領域も必要となることから、筐体が大型化してしまうという課題もあった。
【０００５】
防水構造を有する電子機器の筐体外部を光らせる場合に、一部分だけ強く光ってしまうことを防ぐことを目的とする。
【課題を解決するための手段】
【０００６】
この電子機器は、光を発する光源を筐体の内部に備えた電子機器であって、前記筐体の内部に設けられ、入射された方向とは異なる方向に前記光を出射する導光部材と、前記筐体の外部に面し、前記導光部材が出射した光が入射される光透過ケースを備えることを特徴とする。
【発明の効果】
【０００７】
この電子機器によれば、防水構造を有する筐体の外部を光らせる場合に、一部分だけ強く光ってしまうことを防ぐことができる。
【図面の簡単な説明】
【０００８】
【図１】図１は、実施例にかかる電子機器を示す正面図である。
【図２】図２は、実施例にかかる電子機器の光透過ケースの内側を示す正面図である。
【図３】図３は、実施例にかかる電子機器を示す分解斜視図である。
【図４】図４は、図１の切断線Ａ−Ａ’における要部断面図である。
【図５】図５は、図１の切断線Ｂ−Ｂ’における要部断面図である。
【図６】図６は、図１の切断線Ｃ−Ｃ’における要部断面図である。
【発明を実施するための形態】
【０００９】
以下に添付図面を参照して、この電子機器の好適な実施の形態を詳細に説明する。電子機器は、筐体内に光源と、入射方向とは異なる方向に光を出射する導光部材とを備え、筐体の外部に面して、導光部材が出射した光が入射される光透過ケースを備えるものである。以下の各実施例の説明においては、同様の構成要素には同一の符号を付して、重複する説明を省略する。
【００１０】
（実施例１）
図１は、実施例にかかる電子機器を示す正面図である。図１に示すように、電子機器１は、光透過ケース２を備えている。光透過ケース２は、発光部３を備えている。発光部３は、２つの辺部４，５と、この２つの辺部４，５によって形成される角部６と、を含む。また、発光部３は、さらに２つの辺部７，８と、この２つの辺部７，８によって形成される角部９と、を含んでいてもよい。ここでは、発光部３が、２つの辺部７，８及び角部９を含んでいるとして説明する。
【００１１】
図２は、実施例にかかる電子機器の光透過ケースの内側を示す正面図である。図２に示すように、電子機器１は、導光部材１１，１２、第１の光源１３〜２０及び第２の光源２１〜２３を備えている。導光部材１１は、光透過ケース２の辺部４，８に沿って入射された光を導光する。導光部材１２は、光透過ケース２の辺部５，７に沿って入射された光を導光する。導光部材１１，１２に入射された光は、導光部材１１，１２を取り囲む壁面で反射され、唯一の出口である光透過ケース２側に出射する。
【００１２】
第１の光源１３〜１６は、導光部材１１に入射される光を発する。第１の光源１３，１４から発せられた光は、発光部３の辺部４から光透過ケース２の外部へ出射する。第１の光源１５，１６から発せられた光は、発光部３の辺部８から光透過ケース２の外部へ出射する。第１の光源１７〜２０は、導光部材１２に入射される光を発する。第１の光源１７，１８から発せられた光は、発光部３の辺部７から光透過ケース２の外部へ出射する。第１の光源１９，２０から発せられた光は、発光部３の辺部５から光透過ケース２の外部へ出射する。
【００１３】
第２の光源２１，２２は、光透過ケース２の角部６に向かって光を照射する。第２の光源２１，２２から発せられた光は、光透過ケース２の内側から角部６の外側へ出射する。第２の光源２３は、光透過ケース２の角部９に向かって光を照射する。第２の光源２３から発せられた光は、光透過ケース２の内側から角部９の外側へ出射する。
【００１４】
実施例１によれば、導光部材１１，１２が、導光部材１１，１２に入射された光をその入射方向とは異なる方向に出射するので、防水構造を有する筐体の外部を光らせる場合に、一部分だけ強く光ってしまうことを防ぐことができる。また、導光部材１１，１２により導光された光が光透過ケース２の辺部４，５，７，８から外部へ出射し、光透過ケース２の角部６，９に向かって照射された光が光透過ケース２の内側から角部６，９の外側へ出射するので、発光部３の辺部４，５，７，８と角部６，９とを均一に光らせることができる。従って、電子機器１の光透過ケース２の全周に渡って縁部を均一に光らせることができる。
【００１５】
なお、図２に示す例では、導光部材１１の、光透過ケース２の辺部４に沿う部分に２つの第１の光源１３，１４から光が入射しているが、第１の光源１３の光のみを入射させるようにしてもよい。同様に、導光部材１２の、光透過ケース２の辺部７に沿う部分に第１の光源１７の光のみを入射させるようにしてもよい。また、光透過ケース２の辺部４，５，７，８及び角部６，９を照射する光源の数は、図２に示す例に限らない。
【００１６】
（実施例２）
電子機器の一例として、例えば携帯電話機が挙げられる。実施例２では、携帯電話機は、特に限定しないが、例えば折りたたみ式の電話機であってもよい。図１に示すように、折りたたみ式の携帯電話機では、例えば実施例１において電子機器１としたものは、この電子機器１としたものに重ね合わされる電話機本体にヒンジ部１０によって開閉可能に取り付けられている。
【００１７】
図２に示すように、第１の光源１５，１６から発せられた光の一部は、導光部材１１によって、光透過ケース２の２つの辺部４，８によって形成される角部２６へ導光される。この角部２６へ導光された光は、発光部３の角部２６から光透過ケース２の外部へ出射する。導光部材１１の、第１の光源１５，１６に対向する縁部は、例えば波状に形成されていてもよい。そうすれば、第１の光源１５，１６から発せられた光を、光透過ケース２の辺部８及びこの辺部８の両端の角部９，２６へ向かうように拡散させることができる。
【００１８】
第１の光源１９，２０から発せられた光の一部は、導光部材１２によって、光透過ケース２の２つの辺部５，７によって形成される角部２７へ導光される。この角部２７へ導光された光は、発光部３の角部２７から光透過ケース２の外部へ出射する。導光部材１２の、第１の光源１９，２０に対向する縁部は、例えば波状に形成されていてもよい。そうすれば、第１の光源１９，２０から発せられた光を、光透過ケース２の辺部５及びこの辺部５の両端の角部６，２７へ向かうように拡散させることができる。
【００１９】
図３は、実施例にかかる電子機器を示す分解斜視図である。図３に示すように、電子機器１において、第１の光源１３〜２０及び第２の光源２１〜２３は、基板３１に取り付けられている。第１の光源１３〜２０及び第２の光源２１〜２３の一例として、例えばＬＥＤ（Ｌｉｇｈｔ  Ｅｍｉｔｔｉｎｇ  Ｄｉｏｄｅ、発光ダイオード）が挙げられる。基板３１は、電子機器１の本体となる第一のパネル３２に取り付けられる。導光部材１１，１２は、基板３１に取り付けられる。
【００２０】
図示省略したが、基板３１には種々の電子部品が取り付けられていてもよい。光透過ケース２は、間に止水部材４１を挟んで第一のパネル３２に取り付けられる。光透過ケース２は、例えば無色または有色の透明な樹脂でできており、光を透過する。光透過ケース２の発光部３の樹脂には、光を反射する物質が分散して混入されていてもよい。そうすれば、発光部３が光る際に、発光部３が輝いて見える。発光部３の樹脂に混入される、光を反射する物質の一例として、例えばラメや着色されたガラスフレークなどが挙げられる。
【００２１】
また、発光部３の表面に、ラメまたはガラスフレークを混ぜた光透過インクが形成されていてもよい。すなわち、発光部３の表面がそのような光透過インクで塗装されていてもよい。そうすれば、発光部３を透過する光をラメまたはガラスフレークが反射することで、より広い領域に光を分散することが可能となる。また、発光部３が光る際に、発光部３がインクの色で輝いて見える。なお、光透過ケース２は、例えば無色または有色の透明な硝子でできていてもよい。
【００２２】
光透過ケース２の開口部は、間に止水部材４２を挟んで取り付けられた第二のパネル３３によって塞がれる。第一のパネル３２及び第二のパネル３３は、例えば光を透過しないようになっていてもよい。
【００２３】
図４は、図１の切断線Ａ−Ａ’における要部断面図である。図４に示すように、光透過ケース２の２つの辺部４，５によって形成される角部６に臨む第２の光源２１は、この角部６に向かって光を直接照射してもよい。すなわち、図４に二点鎖線で示すように、第２の光源２１から発せられた光は、導光部材１１，１２などの他の部材に入射することなく、直接光透過ケース２に入射する。それによって、第２の光源２１から発せられた光の減衰を極力抑えて光透過ケース２の角部６を照らすことができるので、発光部３が光る際に、角部６を辺部４，５と同じように明るく光らせることができる。
【００２４】
同じ角部６に臨む第２の光源２２についても同様である。また、光透過ケース２の２つの辺部７，８によって形成される角部９に臨む第２の光源２３についても同様である。
【００２５】
光透過ケース２と第一のパネル３２とは、その間に挟み込まれる止水部材４１によって水密に固着されている。光透過ケース２と第二のパネル３３とは、その間に挟み込まれる止水部材４２によって水密に固着されている。第一のパネル３２には例えば表示パネル４３が納められている。表示パネル４３の表面を覆うパネル４４と第一のパネル３２とは、その間に挟み込まれる止水部材４５によって水密に固着されている。
【００２６】
図５は、図１の切断線Ｂ−Ｂ’における要部断面図である。図５に示すように、光透過ケース２の辺部５及び２つの辺部５，７によって形成される角部２７を照らす第１の光源１９は、導光部材１２へ向けて光を発する。すなわち、図５に二点鎖線で示すように、第１の光源１９から発せられた光は、導光部材１２に入射して導光部材１２によって導光され、導光部材１２から出射して光透過ケース２に入射する。
【００２７】
同じ辺部５及び角部２７を照らす第１の光源２０についても同様である。また、他の辺部４，７，８及び角部２６を照らす第１の光源１３〜１８についても同様である。
【００２８】
図６は、図１の切断線Ｃ−Ｃ’における要部断面図である。図２に示すように、第１の光源１７が発した光は、導光部材１２に入射し、導光部材１２によって第１の光源１８の方向へ導光される。図６に示すように、導光部材１２に入射した光は、導光部材１２を取り囲む壁面で反射され、矢印で示すように、唯一の出口である光透過ケース２側に出射する。つまり、導光部材１２によって、光の進む方向が変わる。そして、導光部材１２から出射し、光透過ケース２に入射した光は、光透過ケース２から外部へ出射する。このように導光部材１２で光の進む方向が変わるような構成とすることによって、筐体の外部の広い領域を光らせることが可能となる。他の第１の光源１８〜２０から導光部材１１，１２に入射する光についても同様である。
【００２９】
図４〜図６に示すように、導光部材１１，１２、第１の光源１３〜２０及び第２の光源２１〜２３は、止水部材４１，４２，４５によって止水される領域内に配置されている。従って、電子機器１は防水性能を備えている。
【００３０】
実施例２によれば、実施例１と同様に、防水構造を有する筐体の外部を光らせる場合に、一部分だけ強く光ってしまうことを防ぐことができる。また、導光部材１１，１２により導光された光が光透過ケース２の辺部４，５，７，８及び角部２６，２７から外部へ出射し、光透過ケース２の角部６，９に向かって照射された光が光透過ケース２の内側から角部６，９の外側へ出射するので、発光部３の辺部４，５，７，８と角部６，９，２６，２７とを均一に光らせることができる。従って、電子機器１の光透過ケース２の全周に渡って縁部を均一に光らせることができる。
【００３１】
なお、電子機器は、携帯電話機に限らず、パーソナルコンピュータ等の電子計算機や、携帯型音声録音再生機や、テレビ受像機等の家庭電化製品や、ゲーム機等の玩具など、ケース内部の光源の光によってケースの例えば全周に渡って設けられた発光部が光るものであれば、いかなるものであってもよい。
【符号の説明】
【００３２】
１  電子機器
２  光透過ケース
１１，１２  導光部材
１３〜２３  光源
３２  第一のパネル
３３  第二のパネル
４１，４２  止水部材
【図１】
0005626055.tif 000002
【図２】
0005626055.tif 000003
【図３】
0005626055.tif 000004
【図４】
0005626055.tif 000005
【図５】
0005626055.tif 000006
【図６】
0005626055.tif 000007